(57)【特許請求の範囲】
【請求項１】
電磁コイルへの通電によりパイロット弁を作動させ、流体の圧力差により主弁体を開弁させるようにした可逆型パイロット式電磁弁において、
弁本体（１）には、出入口通路（２）と出入口通路（３）との間に主弁座（４）を設けると共に上部にピストンを配設させるためのチャンバーＡ（５）を設け、
前記主弁座（４）の周りには、リング状の縦穴（６ａ）を設けると共に、該縦穴（６ａ）と前記の出入口通路（２）に連通する馬蹄形状の縦穴（６ｂ）を設け、
前記弁本体（１）の中心部には、出入口通路（３）に連通させる縦穴（７）を設けると共に該縦穴（７）の底部に弁部材（１４）の軸を上下方向に摺動させるための摺動穴（８）を設け、さらに前記の摺動穴（８）に直交させて前記の出入口通路（２）と出入口通路（３）に連通するシャトル弁挿入用の横穴（９）を設けると共に該横穴（９）にシャトル弁座（９ａ）、（９ｂ）を設け、前記出入口通路（２）とチャンバーＡ（５）と連通させる流通路（１０）には、弁体（１１ａ）と圧力流通孔（１１ｂ）を備えた逆止弁（１１）を設けると共に、前記出入口通路（３）とチャンバーＡ（５）と連通させる流通路（１２）には、弁体（１３ａ）と圧力流通孔（１３ｂ）を備えた逆止弁（１３）を設け、
前記の縦穴（７）に配設される弁部材（１４）には、軸心に設けたパイロットポート（１５）と、軸上端部に設けたパイロット弁座（１６）と、凸状に形成された主弁体（１７）とが設けられると共に、該主弁体（１７）の凸状部分には、ピストン（１８）の筒状部（１９）が圧入等により一体的に固着され、
また、前記ピストン（１８）の筒状部（１９）には横穴（２０）が設けられると共にフランジの外周縁部にシールリング（２１）が嵌着して設けられ、
前記弁本体（１）の上部開口には、下面の中央部にチャンバーＢ（２２）を備えた蓋体（２３）を気密的に設け、
前記シャトル弁挿入用の横穴（９）には、Ｏリング（３２）を嵌着してなるシャトル弁（３３）を摺動自在に設け、
一方、電磁コイル部（２４）は、プランジャーチューブ（２５）と吸引子（２６）とスプリング（２７）と下端部にパイロット弁体（２８）を備えたプランジャー（２９）とコイル（３０）及び磁極板（３１）とにより構成させると共に、前記プランジャー（２８）の下端部に設けた鍔（２８ａ）を前記ピストン（１８）の筒状部（１９）に係止させ、
主弁口である縦穴（７）の断面積よりもリング状の縦穴（６ａ）の断面積を大きくしたことを特徴とする可逆型パイロット式電磁弁。
【請求項２】
弁部材（１４）の軸下端部にリップパッキン（１５ａ）を設けたことを特徴とする請求項１記載の可逆型パイロット式電磁弁。
【請求項３】
ピストン（１８）に組込まれたシールリング（２１）は、ドーナツ形状の１箇所がカットされＣ形状になっており、このカットされた隙間断面積は、弁部材（１４）に形成されたパイロットポート（１５）の断面積より小さいことを特徴とする請求項１記載の可逆型パイロット式電磁弁。
【発明の詳細な説明】
【０００１】
【発明の属する技術分野】
本発明は、各種ガス流体を供給する経路に用いられる可逆型パイロット式電磁弁に係り、特に、正方向及び逆方向に流れる大流量の流体を制御する可逆型パイロット式電磁弁に関するものである。
【０００２】
【従来の技術】
従来より、可逆型パイロット式電磁弁が数多く提案されてる。例えば、実公昭５７−１９９０７号公報、実開昭６０−１３４９８０号公報、特開平１０−１３２１３１号公報などある。
【０００３】
【発明が解決しようとする課題】
しかし、従来の可逆型パイロット式電磁弁において、実公昭５７−１９９０７号公報並びに実開昭６０−１３４９８０号公報のものについては、主弁体及びパイロット弁体の下面に、高圧の流体圧力(逆方向圧力)が作用する場合、閉弁時において、この高圧力が主弁体及びパイロット弁体上部のスプリングに打ち勝つと電磁コイル非通電時でも閉弁してしまう為、使用圧力差が限られていた。
一方、特開平１０−１３２１３１号公報のものについては、圧力流通孔が多く、その為、閉塞のための栓も多い(６箇所)など、全体構造が複雑である。また、出入口から主弁体上部への圧力流通路が長いため圧力損失が多く、閉弁時の主弁体上部への背圧(入口圧)導入時間及び閉弁時の背圧流出時間が掛かり、特に低圧時での弁漏れや応答性に問題がある。
【０００４】
【課題を解決するための手段】
本発明は、従来の可逆型パイロット式電磁弁における問題点に鑑みてなされたものであって、電磁コイルへの通電によりパイロット弁を作動させるに際しては、流体の入口及び出口通路と、主弁並びにパイロット弁座を備えてなる弁部材に一体的に設けられたピストンを配設させるためのチャンバーとの間にそれぞれ圧力連通孔を備えた逆止弁を設けると共に、パイロット弁体の下面にはシャトル弁と弁部材に設けられたリップパッキン及びパイロットポートにより流体のいずれの流れにおいても低圧を作用させ、パイロット弁体の上面には流体の入り口側の逆止弁から前記チャンバーを経てパイロット弁体に高圧を作用させ、パイロット弁座のシール面が小さい為、小さな起電力により流体の差圧が大きくてもパイロット弁が作動し、且つ正逆いずれの流れ方向においても、閉弁時の圧力差限界が無いと共に、出入口通路から主弁体の上部空間である前記チャンバーへの圧力流通経路を短くすることで、低作時における弁漏れがなく応答性が良い可逆型パイロット式電磁弁の提供を目的とするものである。
【０００５】
すなわち、第１の発明は、電磁コイルへの通電によりパイロット弁を作動させ、流体の圧力差により主弁体を開弁させるようにした可逆型パイロット式電磁弁において、弁本体１には、出入口通路２と出入口通路３との間に主弁座４を設けると共に上部にピストンを配設させるためのチャンバーＡ５を設け、前記主弁座４の周りには、リング状の縦穴６ａを設けると共に、該縦穴６ａと前記の出入口通路２に連通する馬蹄形状の縦穴６ｂを設け、前記弁本体１の中心部には、出入口通路３に連通させる縦穴７を設けると共に該縦穴７の底部に弁部材１４の軸を上下方向に摺動させるための摺動穴８を設け、さらに前記の摺動穴８に直交させて前記の出入口通路２と出入口通路３に連通するシャトル弁挿入用の横穴９を設けると共に該横穴９にシャトル弁座９ａ、９ｂを設け、前記出入口通路２とチャンバーＡ５と連通させる流通路１０には、弁体１１ａと圧力流通孔１１ｂを備えた逆止弁１１を設けると共に、前記出入口通路３とチャンバーＡ５と連通させる流通路１２には、弁体１３ａと圧力流通孔１３ｂを備えた逆止弁１３を設け、前記の縦穴７に配設される弁部材１４には、軸心に設けたパイロットポート１５と軸上端部に設けたパイロット弁座１６と凸状に形成された主弁体１７とが設けられると共に、該主弁体１７の凸状部分には、ピストン１８の筒状部１９が圧入等により一体的に固着され、また、前記ピストン１８の筒状部１９には横穴２０が設けられると共にフランジの外周縁部にシールリング２１が嵌着して設けられ、前記弁本体１の上部開口には、下面の中央部にチャンバーＢ２２を備えた蓋体２３を気密的に設け、前記シャトル弁挿入用の横穴９には、Ｏリング３２を嵌着してなるシャトル弁３３を摺動自在に設け、一方、電磁コイル部２４は、プランジャーチューブ２５と吸引子２６とスプリング２７と下端部にパイロット弁体２８を備えたプランジャー２９とコイル３０及び磁極板３１とにより構成させると共に、前記プランジャー２８の下端部に設けた鍔２８ａを前記ピストン１８の筒状部１９に係止させ、主弁口である縦穴７の断面積よりもリング状の縦穴６ａの断面積を大きくしたことを特徴とする可逆型パイロット式電磁弁である。この発明によれば、パイロット弁体の下面には、シャトル弁及び弁部材に設けられたリップパッキン及びパイロットポートにより流体のいずれの流れにおいても低圧を作用させ、パイロット弁体の上面には流体の入口側の逆止弁から前記チャンバーを経てパイロット弁体に高圧を作用させ、パイロット弁座のシール面積が小さい為、小さな起電力により流体の差圧が大きくてもパイロット弁が作動し、且つ正逆いずれの流れ方向においても低作動圧にて大容量の流量を制御でき、流体の出入口２又は３から弁口へ流れる流体の抵抗を軽減することができる。
【０００７】
また、第２の発明は、弁部材１４の軸下端部にリップパッキン１５ａを設けたことを特徴とする請求項１記載の可逆型パイロット式電磁弁である。この発明によれば、シャトル弁３３との相互作用により、リップパッキン１５ａ下方の空間部分を常に低圧（出口圧）にすることができる。
【０００８】
さらに、第３の発明は、ピストン１８に組込まれたシールリング２１は、ドーナツ形状の１箇所がカットされＣ形状になっており、このカットされた隙間断面積は、弁部材１４に形成されたパイロットポート１５の断面積より小さいことを特徴とする請求項１記載の可逆型パイロット式電磁弁である。この発明によれば、パイロット弁が開弁した時には、ピストン上部空間５ａをピストン下部空間５ｂより低圧にすることができる。
【０００９】
【発明の実施の形態】
次に、本発明に係る可逆型パイロット式電磁弁の構造を、図面を参照して説明する。
図１は本発明に係る可逆型パイロット式電磁弁の縦断面図であり、図２は、図１のＡ−Ａ断面図である。
【００１０】
本発明の可逆型パイロット式電磁弁は、電磁コイルへの通電によりパイロット弁を作動させ、流体の圧力差により主弁体を開弁させるようにしたものであり、該可逆型パイロット式電磁弁は、本体１と、主弁が設けられた弁部材１４と、２つの逆止弁１１・１３と、パイロット弁体２８と、電磁コイル部２４及びシャトル弁３３によって構成されている。
【００１１】
弁本体１は、出入口通路２と出入口通路３との間に主弁座４が設けられると共に上部開口にチャンバーＡ５が形成され、該チャンバーＡ５には後述するピストン１８が配設されるようになっている。
また、前記主弁座４の周りには、ミーリング等によって３６０°に渡るリング状の縦穴６ａが設けられており、さらに前記リング状の縦穴６ａの下方部分には、放電加工等によって前記の入口通路２に連通する馬蹄形状の縦穴６ｂ(図２を参照)が設けられている。また、前記弁本体１の中心部には、出入口通路３に連通させる縦穴７を設けられている。また、縦穴７の底部には、後述する弁部材１４の軸を上下方向に摺動させるための摺動穴８が設けられている。
【００１２】
また、前記の摺動穴８に直交させて設けたシャトル弁挿入用の横穴９は、前記の出入口通路２と出入口通路３に連通しており、２箇所にシャトル弁座９ａ，９ｂが設けられている。
そして、前記横穴９には、Ｏリング３２を嵌着してなるシャトル弁３３が前記出入口通路２もしくは３の高圧により、一方のシャトル弁座９ａもしくは９ｂが閉じるように左右方向へ摺動自在に設けられている。
【００１３】
流通路１０は、前記出入口通路２とチャンバーＡ５と連通させ、ピストン上部空間５ａ並びにピストン下部空間５ｂを閉弁時に高圧に保つためのものである。
逆止弁１１は、前記流通路１０に圧入等によって固着されるものであり、該逆止弁１１は、弁体１１ａと圧力流通孔１１ｂを備えている。
また、出入口通路３ とチャンバーＡ５と連通させる流通路１２には、弁体１３ａと圧力流通孔１３ｂを備えた逆止弁１３が設けられているが、この逆止弁１３は前記の逆止弁１１と同じ働きをするものである。
【００１４】
弁部材１４は前記の縦穴７に配設されるものであり、該弁部材１４には、軸心に設けたパイロットポート１５と軸上端部に設けたパイロット弁座１６と凸状に形成された主弁体１７とが設けられている。また、前記の主弁体１７の下面にはゴム製のパッキン(符号なし)が固着されている。
【００１５】
ピストン１８は、その筒状部１９が前記主弁体１７の凸状部分に圧入されて一体的に固着されるものであり、ピストン１８の筒状部１９には、パイロット弁が開弁した時にハイロットポート１５の低圧をピストン上部空間５ａへ導くための横孔２０が設けられると共に、ピストンフランジの外周縁部には、シールリング２１が嵌着して設けられている。
【００１６】
また、前記のシールリング２１は、ドーナツ形状の１箇所がカットされＣ形状になっており、このカットされた隙間断面積は、弁部材１４に形成されたパイロットポート１５の断面積より小さくすることにより、パイロット弁が開弁した時にはピストン上部空間５ａがピストン下部空間５ｂより低圧になるようにしてある。
【００１７】
蓋体２３は、Ｏリング(符号なし)によって前記弁本体１の上部開口を気密的に覆うためのものであり、該蓋体２３下面の中央部にはチャンバーＢ２２が設けられ、蓋体２３の最下面がピストン１５のフランジ部分のストッパーになっている。
【００１８】
電磁コイル部２４は、プランジャーチューブ２５と吸引子２６とスプリング２７と下端部にパイロット弁体２８を備えたプランジャー２９とコイル３０及び磁極板３１とにより構成されている。また、前記プランジャー２８の下端部に設けた鍔２８ａを前記ピストン１８の筒状部１９に係止できるようになっており、コイル３０に通電したときには、ピストン１８を上方に持ち上げる力が作用するようになっている。
【００１９】
【作用】
次に、本発明の可逆型パイロット式電磁弁について、その働きを図１〜図２に基づいて説明する。
【００２０】
まず、正方向流れの動作について説明する。
電磁コイル３０が非通電時は閉弁(図１に示す状態)している。この状態について述べると、出入口通路２から流れる高圧流体によって高圧側(入口側)の逆止弁１１が開弁し、 圧力流通孔１１ｂを通ってピストン下部空間５ｂに高圧(入口圧)が導入される。
また、ピストン下部空間５ｂの高圧(入口圧)は、ドーナツ形状のシールリング２１に施されたカット溝の小さな隙間を通ってピストン上部空間５ａに導入される。
一方、出入口通路３に通じる低圧側(出口側) の逆止弁１３は、ピストン下部空間５ｂと出入口通路３(低圧)との圧力差により、閉弁している。
つまり、前述した２箇所の逆止弁１１と逆止弁１３の働きにより、ピストン上部空間５ａとピストン下部空間５ｂの圧力は高圧(入口圧)になっている。
【００２１】
また、シャトル弁３３は、高圧側(入口側)の出入口通路２と低圧側(出口側)の出入口通路３との圧力差により、左に移動していて、高圧側(入口側）を閉弁し、低圧側(出口側)を開弁している為、リップパッキン１５ａより下方の空間部分は常に低圧(出口圧)になっている。
【００２２】
また、リング状の縦穴６ａは高圧(入口圧)であり、弁本体１の軸心に設けた縦穴７は低圧(出口圧)である。
即ち、シールリング２１より上部のピストン上部空間５ａは高圧であり、シールリング２１より下部については、ピストン下部空間５ｂ及びリング状の縦穴６ａは高圧であるが弁体の軸心に設けられた縦穴７が低圧である為、シールリング２１上部より高圧部分が少なく、シールリング２１の上下空間に圧力差が生じており、ピストン１８には下降力が発生している。また、前記のピストン１８には、プランジャー２９を介してスプリング２７の下降力及び上蓋２３とピストン１５の間に配設したスプリング３４の下降力が働いている。
【００２３】
この時、下向きに働く力を正とすると、
（ピストン１８に働く差圧力）＋（スプリング２７の荷重）＋（スプリング３４の荷重）≧０
の関係にあるから、閉弁状態を保持している。
【００２４】
次に、電磁コイル３０を通電すると開弁する。この動作について述べると、
通電した時の電磁コイル３０の電磁力が、「“パイロット弁体２８とパイロット弁座１６とのシール力”と、“スプリング２７及び３４の荷重”の合力」に打ち勝つと、プランジャー２９が吸引子２６に吸引され、ピストンの筒状部１９に形成されたテーパ形状の引っかけ部(係止部)に接触するまで上昇する。この時には、パイロット弁体２８も上昇し、パイロット弁座１６を離れ、パイロットポート１５が開通する。
また、リップパッキン１５ａ下方の空間部分は常に低圧(出口圧)になっている為、ピストン上部空間５ａの圧力が、前記の筒状部に形成された横穴２０からパイロットポート１５を通り、リップパッキン１５ａ下方の空間に逃げる。
この時も逆止弁１１を通ってピストン下部空間５ｂに高圧(入口圧)が導入されているが、シールリング２１のカットされた隙間断面積よりも パイロットポート１５の断面積の方が大きい為、ピストン上部空間５ａは、ピストン下部空間５ｂからの高圧導入量よりも 低圧部であるパイロットポート１５への圧力流出量の方が多い。
よって、ピストン上部空間５ａの圧力が低下し、ピストン上部空間５ａの圧力はピストン下部空間５ｂの圧力より低くなる。
【００２５】
また、リング状の縦穴６ａは高圧(入口圧)であり、弁本体１の軸心に設けた縦穴７は低圧(出口圧)である。
即ち、シールリング２１より上部の圧力は縦穴７と同じ低圧となり、この低圧力が主弁体１７の上面に作用し、主弁体下面の外縁部分ではリング状の縦穴６ａの高圧力が作用し、この差圧によって主弁体１７と一体的に設けられたピストン１８に上昇力が発生する。
また、電磁コイル３０の電磁力による上昇力が、プランジャー２９を介してピストン１８にも働いている。
よって、上記２つの上昇力の合力が、「“スプリング２７及び スプリング３４の下降力”と“シールリング２１、リップパッキン１７ａ及びリップパッキン１５ａの摺動抵抗”の合力」に打ち勝つと、ピストン１８は上昇し、開弁する。
【００２６】
上述のごとく、一旦開弁すると、ボデー１内の圧力はほぼ同圧になり、ピストン１８に圧力差による上昇力は消失する。
しかし、電磁コイル３０の電磁力による上昇力は、スプリング２７とスプリング３４の下降力より大きい為、ピストン１８は開弁状態を保持する。
【００２７】
次に、電磁コイル３０を非通電にすると閉弁する。この動作について述べると、
電磁コイル３０の電磁力による上昇力が消失し、スプリング２７とスプリング３４の下降力のみ残る為、ピストン１８は下降し閉弁する。そして、段落［００２０］の状態に戻る。
【００２８】
次に、逆方向流れの動作について説明する。
電磁コイル３０が非通電時は閉弁している。この状態について述べると、高圧側(出入口通路３側)の逆止弁１３が開弁し、圧力流通孔１３ｂを通ってピストン下部空間５ｂに高圧(入口圧)が導入される。
また、ピストン下部空間５ｂの高圧(入口圧)は、ドーナツ形状のシールリング２１に施されたカット溝の小さな隙間を通ってピストン上部空間５ａに導入される。
一方、出入口通路２に通じる低圧側(出口側)の逆止弁１１は、ピストン下部空間５ｂと出入口通路３(低圧)との圧力差により、閉弁している。
つまり、前述した２箇所の逆止弁１１と逆止弁１３の働きにより、ピストン上部空間５ａとピストン下部空間５ｂの圧力は高圧(入口圧)になっている。
【００２９】
また、シャトル弁３３は、高圧側(入口側)の出入口通路３と低圧側(出口側)の出入口通路２との圧力差により、右に移動していて、高圧側(入口側）を閉弁し、低圧側(出口側)を開弁している。かつ、リップパッキン１５ａが、出入口通路３の高圧がリップパッキン１５ａより下方の空間部分に流入するのを防いでいる為、この空間部分は常に低圧(出口圧)になっている。
【００３０】
また、リング状の縦穴６ａは低圧(出口圧)であり、弁本体１の軸心に設けた縦穴７は高圧(入口圧)である。
即ち、シールリング２１より上部のピストン上部空間５ａは高圧であり、シールリング２１より下部については、ピストン下部空間５ｂ及び弁体の軸心に設けられた縦穴７が高圧であるがリング状の縦穴６aが低圧である為シールリング２１上部より高圧部分が少なく、シールリング２１の上下空間に圧力差が生じており、ピストン１８に下降力が発生している。また、前記のピストン１８には、プランジャー２９を介してスプリング２７の下降力及び上蓋２３とピストン１５の間に配設したスプリング３４の下降力が働いている。
【００３１】
この時、下向きに働く力を正とすると、
（ピストン１８に働く差圧力）＋（スプリング２７の荷重）＋（スプリング３４の荷重）≧０
の関係にあるから、閉弁状態を保持している。
【００３２】
次に、電磁コイル３０を通電すると開弁する。この動作について述べると、
通電した時の電磁コイル３０の電磁力が、「“パイロット弁体２８とパイロット弁座１６とのシール力”と、“スプリング２７及び３４の荷重”の合力」に打ち勝つと、プランジャー２９が吸引子２６に吸引され、ピストンの筒状部１９に形成されたテーパ形状の引っかけ部(係止部)に接触するまで上昇する。この時には、パイロット弁体２８も上昇し、パイロット弁座１６を離れ、パイロットポート１５が開通する。
また、リップパッキン１５ａ下方の空間部分は常に低圧(出口圧)になっている為、ピストン上部空間５ａの圧力が、前記の筒状部に形成された横穴２０からパイロットポート１５を通り、リップパッキン１５ａ下方の空間に逃げる。
この時も逆止弁１３を通ってピストン下部空間５ｂに高圧(入口圧)が導入されているが、シールリング２１のカットされた隙間断面積よりもパイロットポート１５の断面積の方が大きい為、ピストン上部空間５ａは、ピストン下部空間５ｂからの高圧導入量よりも低圧部であるパイロットポート１５への圧力流出量の方が多い。
よって、ピストン上部空間５ａの圧力が低下し、ピストン上部空間５ａの圧力はピストン下部空間５ｂの圧力より低くなる。
【００３３】
また、弁本体１の軸心に設けた縦穴７は高圧(入口圧)であり、リング状の縦穴６ａは低圧(出口圧)である。
即ち、シールリング２１より上部の ピストン上部空間５ａと、シールリング２１より下部のピストン下部空間５ｂ及び、リング状の縦穴６a及び弁体の軸心に設けられた縦穴７との間に圧力差が生じ、ピストン１８に上昇力が発生する。
また、電磁コイル３０の電磁力による上昇力が、プランジャー２９を介してピストン１８にも働いている。
よって、上記２つの上昇力の合力が、「“スプリング２７及び スプリング３４の下降力”と“シールリング２１、リップパッキン１７ａ及びリップパッキン１５ａの摺動抵抗”の合力」に打ち勝つと、ピストン１８は上昇し、開弁する。
【００３４】
上述のごとく、一旦開弁すると、ボデー１内の圧力はほぼ同圧になり、ピストン１８に圧力差による上昇力は消失する。
しかし、電磁コイル３０の電磁力による上昇力は、スプリング２７とスプリング３４の下降力より大きい為、ピストン１８は開弁状態を保持する。
【００３５】
次に、電磁コイル３０を非通電にすると閉弁する。この動作について述べると、
電磁コイル３０の電磁力による上昇力が消失し、スプリング２７とスプリング３４の下降力のみ残る為、 ピストン 15 は下降し閉弁する。そして、段落［００２８］の状態に戻る。
【００３６】
【発明の効果】
本発明による可逆型パイロット式電磁弁によると、流体の入口及び出口通路と、弁部材と一体的に設けられたピストンを配設させるチャンバーとの間にそれぞれ圧力流通孔を備えた逆止弁を設けると共に、パイロット弁体の下面にはシャトル弁と弁部材に設けられたリップパッキン及びパイロットポートにより流体のいずれの流れにおいても低圧を作用させ、パイロット弁体の上面には流体の入り口側の逆止弁から前記チャンバーを経てパイロット弁体に高圧を作用させ、パイロット弁座のシール面積が小さい為、小さな起電力により電磁弁を作動させるようにしたものであるから、流体の差圧が大きくてもパイロット弁が作動し、且つ正逆いずれの流れ方向においても低作動圧にて大容量の流量を制御できるという特長を有するものである。
【００３７】
また、主弁口である縦穴７の断面積よりもリング状の縦穴(６ａ)の断面積を大きくすることにより、流体の出入口２又は３から弁口へ流れる流体の抵抗を軽減できるから、低差圧における大流量制御のパイロット式電磁弁である。
【００３８】
また、弁部材１４の軸下端部にリップパッキン１５ａを設けることにより、シャトル弁３３との相互作用により、リップパッキン１５ａの下方の空間部分を常に低圧にできる。
【００３９】
さらに、ピストン１８に組込まれた シールリング２１にカットされた隙間の断面積を、弁部材１４に形成されたパイロットポート１５の断面積より小さくすることにより、パイロット弁が開弁した時には、ピストン上部空間５ａをピストン下部空間５ｂより低圧にすることできる。
【図面の簡単な説明】
【図１】  本発明に係る可逆型パイロット式電磁弁の縦断面図。
【図２】  図１のＡ−Ａ縦断面図。
【符号の説明】
１  弁本体                      ２、３  出入口通路
４  主弁座                      ５  チャンバーＡ
５ａ  ピストン上部空間          ５ｂ  ピストン下部空間
６ａ  リング状の縦穴            ６ｂ  馬蹄形状の縦穴
７  縦穴                        ８  摺動穴
９  横穴                        ９ａ，９ｂ  シャトル弁座
１０  流通路                    １１  逆止弁
１１ａ  弁体                    １１ｂ  圧力流通孔
１２  流通路                    １３  逆止弁
１３ａ  弁体                    １３ｂ  圧力流通孔
１４  弁部材                    １５  パイロットポート
１６  パイロット弁座            １７  主弁体
１７ａ  リップパッキン          １８  ピストン
１９  筒状部                    ２０  横穴
２１  シールリング              ２２  チャンバーＢ
２３  蓋体                      ２４  電磁コイル部
２５  プランジャーチューブ      ２６  吸引子
２７  スプリング                ２８  パイロット弁体
２９  プランジャー              ３０  コイル
３１  磁極板                    ３２  Ｏリング
３３  シャトル弁                ３４  スプリング。
【図１】
0003995879.tif 000002
【図２】
0003995879.tif 000003